(57)【要約】  本発明はアップリンク信号処理方法を開示している。所属セルのランダムアクセスチャネルがアップリンクパイロットタイムスロットに位置するとき、ユーザ端末（ＵＥ）は自局のアップリンクチャネル品質サウンディングパイロットの時間周波数位置と前記ランダムアクセスチャネルは衝突するかどうかを判断し、衝突する場合、前記ＵＥは前記アップリンクパイロットタイムスロットにおいて前記アップリンクチャネル品質サウンディングパイロットを送信しない。また、本発明はアップリンク信号処理システムおよび装置を開示している。本発明に係る方法、システムおよび装置によれば、アップリンクチャネル品質サウンディングパイロットによるランダムアクセスチャネルの検出性能への干渉を避けることができ、ランダムアクセスチャネルの検出性能を向上させることができる。
2011519213.tif 000002
【特許請求の範囲】
【請求項１】
アップリンク信号処理方法であって、
所属セルのランダムアクセスチャネルがアップリンクパイロットタイムスロットに位置するとき、ユーザ端末（ＵＥ）は自局のアップリンクチャネル品質サウンディングパイロットの時間周波数位置と前記ランダムアクセスチャネルは衝突するかどうかを判断し、
衝突する場合、前記ＵＥは前記アップリンクパイロットタイムスロットにおいて前記アップリンクチャネル品質サウンディングパイロットを送信しないこと、
を含むことを特徴とする方法。
【請求項２】
衝突しない場合、前記ＵＥは前記アップリンクパイロットタイムスロットにおいて前記アップリンクチャネル品質サウンディングパイロットを送信すること、をさらに含むことを特徴とする請求項１に記載の方法。
【請求項３】
衝突する場合、前記ＵＥは次のアップリンクチャネル品質サウンディングパイロットの時間周波数位置で前記アップリンクチャネル品質サウンディングパイロットを送信すること、をさらに含むことを特徴とする請求項１に記載の方法。
【請求項４】
前記所属セルのランダムアクセスチャネルがアップリンクパイロットタイムスロットに位置するとき、ＵＥが自局のアップリンクチャネル品質サウンディングパイロットの時間周波数位置と前記ランダムアクセスチャネルが衝突するかどうかを判断する前に、
基地局は、従属セルにランダムアクセスチャネルを配置し、前記セル内の各ＵＥにアップリンクチャネル品質サウンディングパイロットを配置し、前記ランダムアクセスチャネル配置を放送し、前記アップリンクチャネル品質サウンディングパイロット配置を相応のＵＥに通知し、
前記基地局は行われた配置に基づいて、ＵＥのアップリンクチャネル品質サウンディングパイロットの時間周波数位置と所属セルのランダムアクセスチャネルが衝突するアップリンクパイロットタイムスロットを決定し、決定されたアップリンクパイロットタイムスロットにおいて前記ランダムアクセスチャネルのみを検出すること、
をさらに含むことを特徴とする請求項１〜３のいずれか１項に記載の方法。
【請求項５】
アップリンク信号処理装置であって、
所属セルのランダムアクセスチャネルがアップリンクパイロットタイムスロットに位置するとき、自局のアップリンクチャネル品質サウンディングパイロットの時間周波数位置と前記ランダムアクセスチャネルは衝突するかどうかを判断し、判断結果を送信ユニットに通知する判断ユニットと、
衝突すると判断した場合、前記アップリンクパイロットタイムスロットにおいて前記アップリンクチャネル品質サウンディングパイロットを送信しない送信ユニットとを、含むことを特徴とする装置。
【請求項６】
前記送信ユニットは、さらに、次のアップリンクチャネル品質サウンディングパイロットの時間周波数位置で前記アップリンクチャネル品質サウンディングパイロットを送信する、ことを特徴とする請求項５に記載の装置。
【請求項７】
前記送信ユニットは、さらに、衝突しないと判断した場合、前記アップリンクパイロットタイムスロットにおいて前記アップリンクチャネル品質サウンディングパイロットを送信する、ことを特徴とする請求項５または６に記載の装置。
【請求項８】
アップリンク信号処理システムであって、
従属セルにランダムアクセスチャネルを配置し、セル内の各ＵＥにアップリンクチャネル品質サウンディングパイロットを配置し、前記ランダムアクセスチャネル配置を放送し、前記アップリンクチャネル品質サウンディングパイロット配置を相応のＵＥに通知する基地局と、
所属セルのランダムアクセスチャネルがアップリンクパイロットタイムスロットに位置するとき、自局のアップリンクチャネル品質サウンディングパイロットの時間周波数位置と前記ランダムアクセスチャネルは衝突するかどうかを判断し、衝突する場合、前記アップリンクパイロットタイムスロットにおいて自局のアップリンクチャネル品質サウンディングパイロットを送信しないＵＥと、
を含むことを特徴とするシステム。
【請求項９】
前記ＵＥは、さらに、次のアップリンクチャネル品質サウンディングパイロットの時間周波数位置で自局のアップリンクチャネル品質サウンディングパイロットを送信する、ことを特徴とする請求項８に記載のシステム。
【請求項１０】
前記基地局は、さらに、行われた配置に基づいて、ＵＥのアップリンクチャネル品質サウンディングパイロットの時間周波数位置と所属セルのランダムアクセスチャネルが衝突するアップリンクパイロットタイムスロットを決定し、決定されたアップリンクパイロットタイムスロットにおいて前記ランダムアクセスチャネルのみを検出する、ことを特徴とする請求項８または９に記載のシステム。
【発明の詳細な説明】
【技術分野】
【０００１】
本発明は移動通信技術に関し、特に、アップリンク信号処理方法、システムおよび装置に関する。
【背景技術】
【０００２】
現在のＬＴＥ（Ｌｏｎｇ  Ｔｅｒｍ  Ｅｖｏｌｕｔｉｏｎ）システムにはフレーム構造１とフレーム構造２との２種類のフレーム構造が定義されている。ここで、フレーム構造１は周波数分割複信（ＦＤＤ：Ｆｒｅｑｕｅｎｃｙ  Ｄｉｖｉｓｉｏｎ  Ｄｕａｌ）に用いられるが、フレーム構造２は時分割複信（ＴＤＤ：Ｔｉｍｅ  Ｄｉｖｉｓｉｏｎ  Ｄｕａｌ）に用いられる。
【０００３】
図１は従来のＬＴＥシステムにおけるフレーム構造１の構成を示す図である。図１に示すように、無線フレーム全体の時間長は１０ｍｓであり、各無線フレームには時間長１ｍｓのサブフレームが１０個含まれている。また、各サブフレーム内には時間長０．５ｍｓのタイムスロットが２つ含まれている。
【０００４】
図２は従来のＬＴＥシステムにおけるフレーム構造２の構成を示す図である。図２に示すように、無線フレーム全体の時間長は１０ｍｓであり、各無線フレームには時間長５ｍｓのハーフフレームが２つ含まれている。また、各ハーフフレームには時間長１ｍｓのサブフレームが５個含まれている。各ハーフフレームにおける２番目のサブフレームは特殊なタイムスロットを含むサブフレームである。即ち、図２に示すようなダウンリンクパイロットタイムスロット（ＤｗＰＴＳ）と、ガード間隔（ＧＰ）と、アップリンクパイロットタイムスロット（ＵｐＰＴＳ）との３つの特殊なタイムスロットである。他の各サブフレームにはそれぞれ時間長０．５ｍｓのタイムスロットが２つ含まれている。
【０００５】
そして、ＬＴＥシステムにおいては５種類のランダムアクセスバースト構造が定義されている。ユーザ端末（ＵＥ：Ｕｓｅｒ  Ｅｑｕｉｐｍｅｎｔ）はこの５種類のバースト構造を利用して、それに対応したランダムアクセスチャネルで所属セルの基地局にランダムアクセス過程を開始する。この５種類のランダムアクセスバースト構造のそれぞれに対応したパラメータは表１に示すようであり、ここで、Ｔｓ＝１／（１５０００＊２０４８）秒である。
【０００６】
【表１】
2011519213.tif 000003
【０００７】
ここで、バースト構造４はフレーム構造２のアップリンクパイロットタイムスロットのみで伝送できるが、バースト構造０〜３はフレーム構造１および２の通常サブフレームで伝送できる。
【０００８】
図３は従来のランダムアクセスバースト構造を示す図である。図３に示すように、各ランダムアクセスバースト構造は、サイクリックプレフィックス（ＣＰ：Ｃｙｃｌｉｃ  Ｐｒｅｆｉｘ）と、バーストシーケンス（Ｓｅｑｕｅｎｃｅ）と、ガードタイム（ＧＴ：Ｇｕａｒｄ  Ｔｉｍｅ）との３つの部分から構成されている。ここで、ＣＰ部分は主に受信側が周波数領域を検出できるように保証するが、ＧＴ部分は主にランダムアクセスチャネルの時間の不確定性によってランダムアクセスチャネル後の通常データサブフレームに干渉することを避ける。
【０００９】
ＬＴＥシステムのアップリンクにおいて、アップリンク共有データチャネルとアップリンク制御チャネルとがあるとともに、アップリンクチャネル品質サウンディングパイロットもあり、具体的な位置は図４に示すようである。ここで、図４の斜線部分に示すように、アップリンク制御チャネルはアップリンクサブフレームの周波数帯の両側に位置し、対称分布になっている。図４の空白部分に示すように、アップリンクサブフレームの周波数帯の中間部分はアップリンク共有データチャネルであり、そのなかの黒色部分がアップリンクチャネル品質サウンディングパイロットである。そして、アップリンクパイロットタイムスロット（図４にはＤｗＰＴＳとＧＴとの２つのタイムスロットを図示しなかった）および通常サブフレーム、即ち図４に示すサブフレーム２、サブフレーム３、およびサブフレーム４などには、１つまたは複数のランダムアクセスチャネルがあり、これらのランダムアクセスチャネルが周波数帯全体にランダムに分布することができ、その具体的な周波数領域位置は基地局により指示される。
【００１０】
ランダムアクセスチャネルが通常サブフレームに位置すると、その配置したランダムアクセスバースト構造は０〜３である。表１に示すように、これらのランダムアクセスバースト構造の時間長はいずれも比較的に長く、それに応じて、ＣＰとＧＴとの２つの部分の時間長も比較的に長く、普通、１つの直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルより大きくなる。このように、同一周波数にランダムアクセスチャネルとＵＥのアップリンクチャネル品質サウンディングパイロットとが同時にある場合、アップリンクチャネル品質サウンディングパイロットが１つのＯＦＤＭシンボルしか占用しないため、ランダムアクセスチャネルのＣＰ部分またはＧＴ部分に周波数の重複を行うことができる。即ち、同一周波数でランダムアクセス信号とアップリンクチャネル品質サウンディングパイロットとを同時に送信する。アップリンクチャネル品質サウンディングパイロットの存在はランダムアクセスバースト構造におけるＳｅｑｕｅｎｃｅ部分に影響しないため、ランダムアクセスチャネルの検出性能は影響を受けない。
【発明の概要】
【発明が解決しようとする課題】
【００１１】
しかし、ある場合で、ＵＥにとって、そのアップリンクチャネル品質サウンディングパイロットは一定の配置に応じて周波数領域で周波数ホッピングを行うことができる。即ち、異なる時刻のＵＥのアップリンクチャネル品質サウンディングパイロットの時間周波数位置は固定せずに、異なるサブフレームに位置することができる。このように、ある時刻に、その時間周波数位置はちょうどフレーム構造２のアップリンクパイロットタイムスロットにおけるランダムアクセスチャネルに位置する可能性がある。アップリンクパイロットタイムスロットに位置するランダムアクセスチャネルが使用可能なランダムアクセスバースト構造はランダムアクセスバースト構造４のみであり、ランダムアクセスバースト構造４の時間長が２つのＯＦＤＭシンボルのみで比較的に短くて、そのなかのＣＰ部分とＧＴ部分の時間長はいずれも１つのＯＦＤＭシンボルより小さくなるため、ランダムアクセスチャネルとアップリンクチャネル品質サウンディングパイロットは衝突を生じるおそれがある。このとき、同一周波数でランダムアクセス信号とアップリンクチャネル品質サウンディングパイロットとを同時に送信すると、ランダムアクセスチャネルの検出性能に影響する。従来技術では、多重方式を提出してこの問題を解決しようとするが、この方式は、アップリンクチャネル品質サウンディングパイロットの時間周波数位置およびランダムアクセスチャネルに対して複雑な多重配置を行う必要があり、実現に不便であるため、問題解決の理想の方式ではない。
【００１２】
本発明は上記に鑑みてなされたものであって、ランダムアクセスチャネルの検出性能を向上させることができるアップリンク信号処理方法を提供することを主な目的とする。
【００１３】
また、本発明はランダムアクセスチャネルの検出性能を向上させることができるアップリンク信号処理装置を提供することを目的とする。
【００１４】
さらに、本発明はランダムアクセスチャネルの検出性能を向上させることができるアップリンク信号処理システムを提供することを目的とする。
【課題を解決するための手段】
【００１５】
上記目的を達成するために、本発明の技術方案は下記のように実現される。
アップリンク信号処理方法は、所属セルのランダムアクセスチャネルがアップリンクパイロットタイムスロットに位置するとき、ユーザ端末（ＵＥ）は自局のアップリンクチャネル品質サウンディングパイロットの時間周波数位置と前記ランダムアクセスチャネルは衝突するかどうかを判断し、衝突する場合、前記ＵＥは前記アップリンクパイロットタイムスロットにおいて前記アップリンクチャネル品質サウンディングパイロットを送信しないこと、を含む。
【００１６】
アップリンク信号処理装置は、所属セルのランダムアクセスチャネルがアップリンクパイロットタイムスロットに位置するとき、自局のアップリンクチャネル品質サウンディングパイロットの時間周波数位置と前記ランダムアクセスチャネルは衝突するかどうかを判断し、判断結果を送信ユニットに通知する判断ユニットと、衝突すると判断した場合、前記アップリンクパイロットタイムスロットにおいて前記アップリンクチャネル品質サウンディングパイロットを送信しない送信ユニットとを、含む。
【００１７】
アップリンク信号処理システムは、従属セルにランダムアクセスチャネルを配置し、セル内の各ＵＥにアップリンクチャネル品質サウンディングパイロットを配置し、前記ランダムアクセスチャネル配置を放送し、前記アップリンクチャネル品質サウンディングパイロット配置を相応のＵＥに通知する基地局と、所属セルのランダムアクセスチャネルがアップリンクパイロットタイムスロットに位置するとき、自局のアップリンクチャネル品質サウンディングパイロットの時間周波数位置と前記ランダムアクセスチャネルは衝突するかどうかを判断し、衝突する場合、前記アップリンクパイロットタイムスロットにおいて自局のアップリンクチャネル品質サウンディングパイロットを送信しないＵＥと、を含む。
【発明の効果】
【００１８】
上記からわかるように、本発明の解決方案によれば、所属セルのランダムアクセスチャネルがアップリンクパイロットタイムスロットに位置するとき、ＵＥは自局のアップリンクチャネル品質サウンディングパイロットの時間周波数位置と前記ランダムアクセスチャネルは衝突するかどうかを判断し、衝突する場合、ＵＥはアップリンクチャネル品質サウンディングパイロットを送信しない。これにより、アップリンクチャネル品質サウンディングパイロットによるランダムアクセスチャネルの検出性能への干渉を避け、即ち、ランダムアクセスチャネルの検出性能を向上させる。
【図面の簡単な説明】
【００１９】
【図１】従来のＬＴＥシステムにおけるフレーム構造１の構成を示す図である。
【図２】従来のＬＴＥシステムにおけるフレーム構造２の構成を示す図である。
【図３】従来のランダムアクセスバースト構造を示す図である。
【図４】従来のアップリンクサブフレーム周波数帯の分布を示す図である。
【図５】本発明に係るアップリンク信号処理方法の実施例のフローチャートである。
【図６】本発明に係るアップリンク信号処理方法の好ましい実施例のフローチャートである。
【図７】本発明に係るアップリンク信号処理システムの実施例の構成を示す図である。
【図８】本発明に係るアップリンク信号処理装置の実施例の構成を示す図である。
【発明を実施するための形態】
【００２０】
本発明の目的、解決方案とメリットをさらに明確にするために、以下、図面を参照して実施例を挙げながら本発明をさらに詳しく説明する。
【００２１】
従来技術の課題、即ち、アップリンクパイロットタイムスロットにおいて、１つのＵＥのアップリンクチャネル品質サウンディングパイロットが周波数ホッピング等のせいで、その時間周波数位置と所属セルのランダムアクセスチャネルとが同じになって、ランダムアクセスチャネルの検出性能に干渉することについて、本発明は新たなアップリンク信号処理方法を提出している。ＵＥが所属セルのランダムアクセスチャネルの具体的な時間周波数位置を明らかに知っていることを考慮して、本発明に係る方法において、ＵＥは一旦そのアップリンクチャネル品質サウンディングパイロットの時間周波数位置と所属セルのランダムアクセスチャネルが衝突することを発見すると、アップリンクパイロットタイムスロットにおいてアップリンクチャネル品質サウンディングパイロットを送信せずに、次の時刻で、衝突しない場合に、アップリンクチャネル品質サウンディングパイロットを送信することができる。
【００２２】
図５は本発明に係るアップリンク信号処理方法の実施例のフローチャートである。図５に示すように、当該方法は以下のステップを含む。
【００２３】
ステップ５０１で、所属セルのランダムアクセスチャネルがアップリンクパイロットタイムスロットに位置するとき、ＵＥは自局のアップリンクチャネル品質サウンディングパイロットの時間周波数位置と前記ランダムアクセスチャネルは衝突するかどうかを判断し、衝突しない場合、ステップ５０２に進み、衝突する場合、アップリンクパイロットタイムスロットにおいてアップリンクチャネル品質サウンディングパイロットを送信せずに、プロセスを終了する。
【００２４】
本ステップでは、ＵＥの所属セルのランダムアクセスチャネルおよびＵＥが使用するアップリンクチャネル品質サウンディングパイロットは、いずれも基地局により予め配置されてＵＥに通知されるものである。ＵＥは自局のアップリンクチャネル品質サウンディングパイロットの時間周波数位置および所属セルのランダムアクセスチャネルを知った後に、両者は衝突するかどうかの判断を行うことができる。
【００２５】
ステップ５０２で、ＵＥはアップリンクパイロットタイムスロットにおいて自局のアップリンクチャネル品質サウンディングパイロットを送信し、プロセスを終了する。
【００２６】
もちろん、本ステップにおいて、セル内のほかのＵＥはまだ従来方式でランダムアクセスチャネルを使用してランダムアクセスを行うことができ、ここでは説明を省略する。
【００２７】
以下、好ましい実施例を介して本発明の前記解決方案をさらに詳しく説明する。
図６は本発明に係るアップリンク信号処理方法の好ましい実施例のフローチャートである。図６に示すように、当該方法は以下のステップを含む。
【００２８】
ステップ６０１で、基地局は、従属セルにランダムアクセスチャネルを配置し、セル内の各ＵＥにアップリンクチャネル品質サウンディングパイロットを配置する。
【００２９】
ステップ６０２で、基地局は、ランダムアクセスチャネル配置を放送し、アップリンクチャネル品質サウンディングパイロット配置を相応のＵＥに通知する。
【００３０】
ステップ６０１および６０２の具体的な実現は従来技術と同じであり、ここでは説明を省略する。
【００３１】
ステップ６０３で、ＵＥは放送メッセージおよび通知メッセージを受信した後に、自局のアップリンクチャネル品質サウンディングパイロットが通常サブフレームに位置するかどうかを判断し、通常サブフレームに位置する場合、ステップ６０４に進み、通常サブフレームに位置しない場合、ステップ６０５に進む。
【００３２】
ステップ６０４で、ＵＥは従来方式によってアップリンクチャネル品質サウンディングパイロットを送信し、プロセスを終了する。
【００３３】
即ち、基地局で行われた配置に基づいて、相応の時間周波数位置でアップリンクチャネル品質サウンディングパイロットを送信する。
【００３４】
ステップ６０５で、ＵＥは自局のアップリンクチャネル品質サウンディングパイロットの時間周波数位置と所属セルのランダムアクセスチャネルは衝突するかどうかを判断し、衝突しない場合、ステップ６０４に進み、衝突する場合、ステップ６０６に進む。
【００３５】
ステップ６０３の判断結果がＵＥのアップリンクチャネル品質サウンディングパイロットが通常サブフレームに位置していないことを示す場合、それがアップリンクパイロットタイムスロットに位置することを表明する。この場合、ＵＥは自局のアップリンクチャネル品質サウンディングパイロットの時間周波数位置と所属セルのランダムアクセスチャネルは衝突するかどうかをさらに判断する必要があり、衝突しない場合、ステップ６０４に進み、即ち、従来方式によってアップリンクチャネル品質サウンディングパイロットを送信し、衝突する場合、ステップ６０６に進む。ＵＥが如何に自局のアップリンクチャネル品質サウンディングパイロットの時間周波数位置と所属セルのランダムアクセスチャネルが衝突するかどうかを判断することは本技術分野の公知技術であり、ここでは説明を省略する。
【００３６】
ステップ６０６で、ＵＥは次のサブフレームにおいて自局のアップリンクチャネル品質サウンディングパイロットを送信した後に、プロセスを終了する。
【００３７】
ステップ６０５の判断結果がＵＥのアップリンクチャネル品質サウンディングパイロットの時間周波数位置と所属セルのランダムアクセスチャネルが衝突することである場合、ＵＥはアップリンクパイロットタイムスロットにおいてアップリンクチャネル品質サウンディングパイロットを送信しないことで、セルのランダムアクセスチャネルを使用してランダムアクセスを行うほかのＵＥに干渉することを避ける。
【００３８】
アップリンクパイロットタイムスロットの所属サブフレームの次のサブフレームは通常サブフレームであり、通常サブフレームにおいて、ＵＥのアップリンクチャネル品質サウンディングパイロットの時間周波数位置と所属セルのランダムアクセスチャネルは衝突しないため、ＵＥは次のサブフレームにおけるアップリンクチャネル品質サウンディングパイロットの時間周波数位置でアップリンクチャネル品質サウンディングパイロットを送信することができる。
【００３９】
本実施例において、ＵＥの所属セルのランダムアクセスチャネルおよび各ＵＥのアップリンクチャネル品質サウンディングパイロットはいずれも基地局により配置されるため、基地局はどれらのアップリンクパイロットタイムスロットにおいてＵＥのアップリンクチャネル品質サウンディングパイロットと所属セルのランダムアクセスチャネルが衝突するかを確定することができる。これら確定されたアップリンクパイロットタイムスロットにおいて、ＵＥがアップリンクチャネル品質サウンディングパイロットを送信しないため、基地局はこれら確定されたアップリンクパイロットタイムスロットにおいてランダムアクセスチャネルのみを検出することができる。
【００４０】
説明すべきところとして、図６に示す好ましい実施例は例示を挙げて説明するだけで、本発明の解決方案はこれに限定されるものではない。例えば、実際の応用では、ステップ６０６に進む前に、ＵＥのアップリンクチャネル品質サウンディングパイロットの時間周波数位置と所属セルのランダムアクセスチャネルが衝突するかどうかを再び判断する判断過程をさらに含むようにしてよく、衝突しない場合に、ステップ６０６に進む。
【００４１】
上記の方法に基づき、図７は本発明に係るアップリンク信号処理システムの実施例の構成を示す図である。図７に示すように、当該システムは、
【００４２】
従属セルにランダムアクセスチャネルを配置し、セル内の各ＵＥにアップリンクチャネル品質サウンディングパイロットを配置し、ランダムアクセスチャネル配置を放送し、アップリンクチャネル品質サウンディングパイロット配置を相応のＵＥ７２（図面を簡略化するために、図７には１つのＵＥのみを示した）に通知する基地局７１と、所属セルのランダムアクセスチャネルがアップリンクパイロットタイムスロットに位置するとき、自局のアップリンクチャネル品質サウンディングパイロットの時間周波数位置と所属セルのランダムアクセスチャネルは衝突するかどうかを判断し、衝突する場合、アップリンクパイロットタイムスロットにおいて自局のアップリンクチャネル品質サウンディングパイロットを送信しなく、衝突しない場合、アップリンクパイロットタイムスロットにおいて自局のアップリンクチャネル品質サウンディングパイロットを送信するＵＥ７２と、を含む。
ここで、ＵＥ７２は、さらに、次のアップリンクチャネル品質サウンディングパイロットの時間周波数位置で自局のアップリンクチャネル品質サウンディングパイロットを送信する。
【００４３】
基地局７１は、さらに、行われた配置に基づいて、ＵＥ７２のアップリンクチャネル品質サウンディングパイロットと所属セルのランダムアクセスチャネルが衝突するアップリンクパイロットタイムスロットを決定し、決定されたアップリンクパイロットタイムスロットにおいてランダムアクセスチャネルのみを検出する。
【００４４】
図８は本発明に係るアップリンク信号処理装置の実施例の構成を示す図であり、当該装置は図７に示すＵＥ７２である。図８に示すように、当該装置は、所属セルのランダムアクセスチャネルがアップリンクパイロットタイムスロットに位置するとき、自局のアップリンクチャネル品質サウンディングパイロットの時間周波数位置と前記ランダムアクセスチャネルは衝突するかどうかを判断し、判断結果を送信ユニット８２に通知する判断ユニット８１と、衝突すると判断した場合、アップリンクパイロットタイムスロットにおいてアップリンクチャネル品質サウンディングパイロットを送信しなく、次のアップリンクチャネル品質サウンディングパイロットの時間周波数位置でアップリンクチャネル品質サウンディングパイロットを送信する送信ユニット８２とを、含む。
【００４５】
ここで、送信ユニット８２は、さらに、衝突しないと判断した場合、アップリンクパイロットタイムスロットにおいてアップリンクチャネル品質サウンディングパイロットを送信する。
【００４６】
図７および図８に示すシステムと装置の実施例の具体的な動作フローは、方法実施例における相応の説明を参照し、ここでは説明を省略する。
【００４７】
要するに、本発明の解決方案によれば、アップリンクパイロットタイムスロット内で、アップリンクチャネル品質サウンディングパイロットによるランダムアクセスチャネルの検出性能への干渉を避けることができ、即ち、ランダムアクセスチャネルの検出性能を向上させることができる。同時に、アップリンクパイロットタイムスロットにおいてランダムアクセスチャネルおよびアップリンクチャネル品質サウンディングパイロットを多重する配置を簡略化する。
【００４８】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００４９】
７１  基地局
７２  ＵＥ
８１  判断ユニット
８２  送信ユニット
【図２】
2011519213.tif 000004
【図３】
2011519213.tif 000005
【図４】
2011519213.tif 000006
【図５】
2011519213.tif 000007
【図６】
2011519213.tif 000008
【図７】
2011519213.tif 000009
【図８】
2011519213.tif 000010
【図１】
2011519213.tif 000011
【国際調査報告】
2011519213.tif 000012
2011519213.tif 000013
2011519213.tif 000014
2011519213.tif 000015